(57)【要約】【課題】収録した映像を容易に確認することを目的とする。【解決手段】ビデオサーバーと制御装置と制御端末とを有し、映像信号を映像ファイルデータとして収録し再生するテープレスシステムにおいて、映像信号を映像ファイルデータとして収録した映像ファイルデータをｎ分割する機能と、ｎ分割した映像ファイルデータの代表映像ファイルデータを抽出する機能と、抽出した代表映像ファイルデータを繋ぎ合わせる機能と、連続した映像信号として再生する機能とを有し、映像信号を映像ファイルデータとして収録した映像ファイルデータをｎ分割し、ｎ分割した映像ファイルデータの代表映像ファイルデータを抽出し、抽出した代表映像ファイルデータを繋ぎ合わせて、連続した映像信号として再生する。【選択図】図１
2011223152.tif 000002
【特許請求の範囲】
【請求項１】
ビデオサーバーと制御装置と制御端末とを有し、映像信号を映像ファイルデータとして収録し再生するテープレスシステムにおいて、映像信号を映像ファイルデータとして収録した映像ファイルデータをｎ分割する機能と、ｎ分割した映像ファイルデータの代表映像ファイルデータを抽出する機能と、抽出した代表映像ファイルデータを繋ぎ合わせる機能と、連続した映像信号として再生する機能とを有し、映像信号を映像ファイルデータとして収録した映像ファイルデータをｎ分割し、ｎ分割した映像ファイルデータの代表映像ファイルデータを抽出し、抽出した代表映像ファイルデータを繋ぎ合わせて、連続した映像信号として再生することを特徴とするテープレスシステム。
【発明の詳細な説明】
【技術分野】
【０００１】
本発明は、番組素材を、ビデオサーバーにファイリングした上でオンエアーする方式のテープレスシステムに関するものである。
【背景技術】
【０００２】
テレビジョン放送業務では、従来からビデオサーバーを備えたノンリニアバンクシステムを用い、ＶＴＲ(Video Tape Recorder）等の記録装置に記録されている番組やＣＭ等の放送素材を、ビデオサーバーにファイリングした上でオンエアーして放送している（特許文献１参照）。ビデオサーバーの入出力信号が非圧縮の映像信号から、圧縮されたファイル形式となり、テープレスシステムと呼称されるようになった。
【０００３】
つまり、テープレスシステムでは、映像信号をＭＰＥＧ（Moving  Picture  Experts  Group）等で動画圧縮し、映像ファイルデータとして収録し再生する。
【０００４】
収録した映像ファイルデータの内容を確認するには、1倍速あるいは早送りでの再生や、静止画像の表示により行う。
【０００５】
1倍速あるいは早送りでの再生では、内容を確認するのに時間がかかる。また、静止画像の表示では、内容を確認が不十分である。
【先行技術文献】
【特許文献】
【０００６】
【特許文献１】特開２００５ −２１０４９０号公報
【発明の概要】
【発明が解決しようとする課題】
【０００７】
本発明は、収録した映像を容易に確認することを目的とする。
【課題を解決するための手段】
【０００８】
本発明は、上記の目的を達成するために、ビデオサーバーと制御装置と制御端末とを有し、映像信号を映像ファイルデータとして収録し再生するテープレスシステムにおいて、映像信号を映像ファイルデータとして収録した映像ファイルデータをｎ分割する機能と、ｎ分割した映像ファイルデータの代表映像ファイルデータを抽出する機能と、抽出した代表映像ファイルデータを繋ぎ合わせる機能と、連続した映像信号として再生する機能とを有し、映像信号を映像ファイルデータとして収録した映像ファイルデータをｎ分割し、ｎ分割した映像ファイルデータの代表映像ファイルデータを抽出し、抽出した代表映像ファイルデータを繋ぎ合わせて、連続した映像信号として再生することを特徴とするテープレスシステムである。
【発明の効果】
【０００９】
以上のように本発明によれば、収録した映像を容易に確認することができる。
【図面の簡単な説明】
【００１０】
【図１】本発明の一実施例のテープレスシステムの再生イメージを示す模式図
【図２】本発明の一実施例のテープレスシステムのユースケースを示す模式図
【図３】本発明の１実施例のテープレスシステムのデータと処理を示す模式図
【図４】本発明の１実施例のテープレスシステムの収録関係の構成を示すブロック図
【発明を実施するための形態】
【実施例１】
【００１１】
まず本発明の一実施例のテープレスシステムの収録関係を図４を用いて説明する。
図４は本発明の１実施例の収録関係の構成を示すブロック図である。図４において、２２は収録系統部、１は報道情報システム、２はあらかじめ登録されたスケジュールに基づいて収録する収録素材の情報を通知する情報管理サーバー、３は再生収録端末、４は収録端末、１８は収録素材の管理を行う素材管理サーバー、２０はプロキシ管理サーバー、１９は素材サーバー、２１はプロキシサーバー、１５はマトリックススイッチ（ＭＴＸ）である。また収録系統部２２において、５と６は収録コントローラ、７は収録制御切替器、８と９は１６分割制御装置、１０は１６分割合成装置、１１と１２はマトリックス（ＭＴＸ）コントローラ、１３はＲＳ４２２切替器、１４は２：１切替器、１６は高解像度／低解像度エンコーダ、１７は収録転送装置である。なお、ＲＳ４２２切替器は、他のインターフェース（例えば、ＲＳ４８５、ＲＳ２３２Ｃ、ＵＳＢ、等）が用いられれば、他のインタフェースの切替器が採用される。
【００１２】
収録系統部２２は、収録システム内の情報管理サーバー２から入力される収録スケジュール、または、再生収録端末３若しくは収録端末４からの収録操作によりＭＴＸコントローラ１１と１２や高解像度／低解像度エンコーダ１６を制御し、素材サーバー１９およびプロキシサーバー２１へ収録素材を収録するための収録処理を行う。即ち、再生収録端末３、収録端末４、若しくは、報道情報システム１等の上位機器を介して割当て、あらかじめ登録された収録スケジュールの中の収録素材の収録時間が現在時刻と等しくなる（スタンバイ時間を含む）と、情報管理サーバー２は、当該収録素材の情報を収録コントローラ５と６に通知する。収録コントローラ５と６は、通知された収録素材の情報に基づいて、各機器を制御し、当該収録素材の収録処理を実行する。
【００１３】
ＭＴＸ１５は、同時に複数の系統（例えば、１０００ｃｈ）の映像データやプロキシデータを入力可能で、情報管理サーバー２から入力される収録スケジュール、または、再生収録端末３若しくは収録端末４からの収録操作に基づいて、必要な系統から映像データやプロキシデータを入力し、入力されたデータを１６分割合成装置８と９、２：１切替器１４および高解像度／低解像度エンコーダ１６に出力する。２：１切替器１４は、入力されたデータの解像度を１／２に切替て、高解像度／低解像度エンコーダ１６に出力する。高解像度／低解像度エンコーダ１６は、同時に複数系統（例えば、８〜７０ｃｈ）のエンコード処理が可能で、収録コントローラ５と６の制御に基づいて、入力されるデータをエンコードして収録転送装置１７に出力する。収録転送装置１７は、入力されたデータの管理情報を、素材管理サーバー１８若しくはプロキシ管理サーバー２０に転送する。また、収録転送装置１７は、入力されたデータを、素材サーバー１９若しくはプロキシサーバー２１に転送する。情報管理サーバー２、素材管理サーバー１８、素材サーバー１９、プロキシ管理サーバー２０、およびプロキシサーバー２１の各サーバーは、入力されたデータを記録する。
【００１４】
なお、収録系統部２２の各コントローラは、冗長構成となっている。本番系と待機系の２台からなり、本番系が制御を行う。例えば、収録コントローラ５と６、１６分割制御装置８と９、及びＭＴＸコントローラ１１と１２は、本番系と待機系でそれぞれ１台ずつ、計２台備える。
情報管理サーバー２、再生収録端末３、若しくは収録端末４から入力される、収録系統部２２の収録コントローラ５と６への制御指示は、本番系と待機系の両方に行われ、本番系のみが、指示に対する制御結果の応答を返す。即ち、本番系は、制御結果の応答を、上記制御指示を出力した機器に出力する。
【００１５】
小規模の場合は、図４の報道情報システム１と情報管理サーバー２と収録コントローラ５と６と収録制御切替器７と１６分割制御装置８と９と１６分割合成装置１０とスイッチャ（ＭＴＸ）コントローラ１１と１２とＲＳ４２２切替器１３とスイッチャ（ＭＴＸ）１５と２：１切替器１４とは省略され、図５の高解像度／低解像度エンコーダ１６と収録転送装置１７と素材管理サーバー１８と素材管理サーバー１９と再生収録端末３と収録端末４とプロキシ管理サーバー２０とプロキシサーバー２１とは一部または全てがパソコンに統合される。図４の再生収録端末３または収録端末４、あるいは再生収録端末３または収録端末４とを統合したパソコンを制御端末と呼ぶことにする。制御端末は、図示しないテープレスシステムの編集や送出にも用いられる。
【００１６】
本発明は、収録した映像ファイルデータをｎ分割して、それぞれをｘ秒間抽出(再生)し、間にｙ秒間の静止画像(または、ブラックバースト(全画面黒一色の映像))を挿入した上で連続して確認できることを特徴としている。
【００１７】
以下本発明の一実施例のテープレスシステムの再生イメージを本発明の一実施例のテープレスシステムの再生イメージを示す模式図の図１を用いて説明する。
図1は、本発明の再生イメージ図である(例として、n＝3の場合を記載)。
映像ファイルデータは、基本的に「映像データ」と「音声データ」の組み合わせで収録しており、この2つのデータを格納したものを一般的には「コンテナ」という。
【００１８】
また「映像データ」は、動画圧縮する前の映像信号としては飛び越し走査の奇数偶数フィールドの組の「フレーム」単位で1枚の静止画像と同等となる。
映像ファイルデータは、フレーム単位で映像長を計算して分割(ｎ−１)を行い、それぞれのコンテナ(ｘ秒分)を抽出する。
【００１９】
抽出したコンテナは、先頭から順に中間・最後と再生を行う。
このとき、先頭と中間との間には先頭映像の最終フレームの静止画像(またはブラックバースト)をｙ秒間挿入する。
【００２０】
同様に、中間と最後の間にも中間映像の最終フレームの静止画像(またはブラックバースト)をｙ秒間挿入する。
【００２１】
次に、本発明の一実施例のテープレスシステムのユースケースを示す模式図の図２を用いてユースケースを説明する。
ユースケース1は、ユーザーの操作により開始する。
記憶媒体から動画データを読み込み、映像データをフレーム単位で指定された数に分割して、再生するコンテナを抽出する。
それぞれの間に静止画像あるいはブラックバースト(図では[B.B]と記載)を挿入して連続再生を行う。
【００２２】
ユースケース2も、ユーザーの操作により開始する。
記憶媒体に対して、分割数・再生時間・静止時間の指定(または変更)を行う。
【００２３】
次に、本発明の１実施例のテープレスシステムのデータと処理を示す模式図の図３用いてデータと処理を説明する。。
「アプリケーション(ユーザー I/F)」は、ユーザーと記憶媒体との間に位置し、各設定値(分割数,再生時間,静止時間など)の参照や変更を行う。
また、アプリケーション(ｎ点チェック処理)との間にも位置し、ユーザーが選択した動画情報(動画IDなど)を通知する。
そのため、入力装置(マウスやキーボードなど)と出力装置(モニタなど)を具備している。
【００２４】
「記憶媒体」は、ハードディスクや不揮発性メモリなどの記憶媒体で、各設定値のほかに動画データ郡(1つ以上の動画データ)を保持している。
(記憶媒体への動画データの保存については説明しない。)
「アプリケーション(ｎ点チェック処理)」は本機能を実行するメイン処理で、アプリケーション(ユーザー I/F)から処理開始要求を受け付けると、指定された動画データを記憶媒体から取得する。
【００２５】
取得した動画データは、各設定値に従って再生するコンテナを決定し、アプリケーション(映像・音声再生)へ転送する。
また、アプリケーション(タイマ)と連携して、アプリケーション(映像・音声再生)に対して転送したコンテナの再生・停止を指示する。
「アプリケーション(タイマ)」は、アプリケーション(ｎ点チェック処理)の指示によりタイマ管理を行う。
【００２６】
「アプリケーション(映像・音声再生)」は、コンテナを再生する装置で、アプリケーション(ｎ点チェック処理)から転送されたコンテナを順に再生する。
また、アプリケーション(ｎ点チェック処理)からの指定により、ブラックバーストを表示することも可能である。
【００２７】
そのため、出力装置(モニタなど)を具備している。
【００２８】
本機能により、ユーザーの複雑な操作を行わずに録画・録音した映像や音の確認が行える。
特に長時間録画・録音した映像や音に関しては有効といえる。
【符号の説明】
【００２９】
１：報道情報システム、２：情報管理サーバー、
３：再生収録端末、４：収録端末、
５，６：収録コントローラ、７：収録制御切替器、
８，９：１６分割制御装置、１０：１６分割合成装置
１１，１２：スイッチャ（ＭＴＸ）コントローラ、
１３：ＲＳ４２２切替器、１４：２：１切替器
１５：マトリックススイッチャ（ＭＴＸ）、１６：高解像度／低解像度エンコーダ、
１７：収録転送装置、１８：素材管理サーバー、１９：素材管理サーバー
２０：プロキシ管理サーバー、２１：プロキシサーバー、２２：収録系統部、
【図１】
2011223152.tif 000003
【図２】
2011223152.tif 000004
【図３】
2011223152.tif 000005
【図４】
2011223152.tif 000006